【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
無線通信の方法であって、
複数の許容できるランク値セットを、チャネル状態情報（ＣＳＩ）フィードバック処理セットへ関連付ける、フィードバック・コンフィギュレーション情報を、ユーザ機器により、受信することと、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定することと、ここで、前記選択することは、基地局からのシグナリングに基づき、
前記選択された許容できるランク値セットに対応する少なくとも１つのＲＩ−ＰＭＩペアを決定することと、
前記少なくとも１つのチャネル品質インジケータ（ＣＱＩ）を決定することと、ここで、おのおののＣＱＩは、前記少なくとも１つのＲＩ−ＰＭＩペアのうちの１つに対応し、
前記少なくとも１つのＲＩ−ＰＭＩペアと前記少なくとも１つのＣＱＩとを含むＣＳＩレポートを前記基地局へ送信することと、
を備える方法。
【請求項２】
前記選択された許容できるランク値セットは、複数の許容できるランク値を含む、または、
前記選択された許容できるランク値セットは、前記ＣＳＩレポートがスケジュールされるサブフレームのうちの１または複数のセットに基づいて決定される、請求項１に記載の方法。
【請求項３】
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、請求項１に記載の方法。
【請求項４】
前記フィードバック・コンフィギュレーション情報を受信することは、
おのおののＣＳＩフィードバック処理セットに関連付けられた許容できるランク値セットを指定するビットマップを受信することと、
前記ビットマップにおいて指定された許容できるランク値セットから少なくとも１つのＲＩを決定することにより、前記許容できるランク値セットによって、おのおののＣＳＩフィードバック処理セットを調整することと、
おのおののＣＳＩフィードバック処理セットに関連付けられた少なくとも１つの許容できるＲＩ−ＰＭＩペアを指定するビットマップを受信することと、
のうちの少なくとも１つを備え、
前記ＲＩおよび前記ＰＭＩは、前記ビットマップにおいて指定された少なくとも１つの許容できるＲＩ−ＰＭＩペアについて決定される、請求項１に記載の方法。
【請求項５】
許容できるランク値セットは、いくつかのＲＩ−ＰＭＩペアを除外する、または、
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、
特に、前記フィードバック・コンフィギュレーション情報は、おのおののＣＳＩフォードバック処理セットのコードブックにおける１または複数のＰＭＩをディセーブする、請求項１に記載の方法。
【請求項６】
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信することは、
複数のサブ帯域からサブ帯域のセットを決定することと、
前記サブ帯域のセットに対応する第１のＣＳＩレポートを提供することと、
前記複数のサブ帯域に対応する第２のＣＳＩレポートを提供することと
を含む、請求項１に記載の方法。
【請求項７】
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、請求項１に記載の方法。
【請求項８】
無線通信のためのユーザ機器であって、
複数の許容できるランク値セットを、チャネル状態情報（ＣＳＩ）フィードバック処理セットへ関連付ける、フィードバック・コンフィギュレーション情報を受信する手段と、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定する手段と、ここで、前記選択することは、基地局からのシグナリングに基づき、
前記選択された許容できるランク値セットに対応する少なくとも１つのＲＩ−ＰＭＩペアを決定する手段と、
少なくとも１つのチャネル品質インジケータ（ＣＱＩ）を決定する手段と、ここで、おのおののＣＱＩは、前記少なくとも１つのＲＩ−ＰＭＩペアのうちの１つに対応し、
前記少なくとも１つのＲＩ−ＰＭＩペアおよび前記少なくとも１つのＣＱＩを含むＣＳＩレポートを前記基地局へ送信する手段と、
を備えるユーザ機器。
【請求項９】
前記選択された許容できるランク値セットは、複数の許容できるランク値を含む、または、
前記選択された許容できるランク値セットは、前記ＣＳＩレポートがスケジュールされるサブフレームのうちの１または複数のセットに基づいて決定される、請求項８に記載のユーザ機器。
【請求項１０】
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、請求項８に記載のユーザ機器。
【請求項１１】
前記フィードバック・コンフィギュレーション情報を受信する手段は、
おのおののＣＳＩフィードバック処理セットに関連付けられた許容できるランク値セットを指定するビットマップを受信すること、
前記ビットマップにおいて指定された許容できるランク値セットから少なくとも１つのＲＩを決定することにより、前記許容できるランク値セットによって、おのおののＣＳＩフィードバック処理セットを調整するここ、
または、おのおののＣＳＩフィードバック処理セットに関連付けられた少なくとも１つの許容できるＲＩ−ＰＭＩペアを指定するビットマップを受信すること
のうちの少なくとも１つを実行するように構成され、
前記ＲＩおよび前記ＰＭＩは、前記ビットマップにおいて指定された少なくとも１つの許容できるＲＩ−ＰＭＩペアについて決定される、請求項８に記載のユーザ機器。
【請求項１２】
許容できるランク値セットは、いくつかのＲＩ−ＰＭＩペアを除外する、または、
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、
特に、前記フィードバック・コンフィギュレーション情報は、おのおののＣＳＩフォードバック処理セットのコードブックの１または複数のＰＭＩをディセーブルする、請求項８に記載のユーザ機器。
【請求項１３】
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信する手段は、複数のサブ帯域からサブ帯域のセットを決定し、前記サブ帯域のセットに対応する第１のＣＳＩレポートを提供し、前記複数のサブ帯域に対応する第２のＣＳＩレポートを提供するように構成された、請求項８に記載のユーザ機器。
【請求項１４】
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、請求項８に記載のユーザ機器。
【請求項１５】
コンピュータ上で実行されたとき、請求項１乃至７のうちのいずれか１項記載の方法を実行する命令を備えるコンピュータ・プログラム。
【手続補正２】
【補正対象書類名】明細書
【補正対象項目名】０１２５
【補正方法】変更
【補正の内容】
【０１２５】
前述された記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。請求項の要素が、「〜する手段」という文言を用いて明示的に示されていないのであれば、請求項の何れの要素も、ミーンズ・プラス・ファンクション（ｍｅａｎｓ  ｐｌｕｓ  ｆｕｎｃｔｉｏｎ）として解釈されるべきではない。
以下に、本願出願時の特許請求の範囲に記載された発明を付記する。
［Ｃ１］
無線通信の方法であって、
複数の許容できるランク値セットを、チャネル状態情報（ＣＳＩ）フィードバック処理セットへ関連付ける、フィードバック・コンフィギュレーション情報を受信することと、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定することと、ここで、前記選択することは、基地局からのシグナリングに基づき、
前記選択された許容できるランク値セットに対応する少なくとも１つのＲＩ−ＰＭＩペアを決定することと、
前記少なくとも１つのチャネル品質インジケータ（ＣＱＩ）を決定することと、ここで、おのおののＣＱＩは、前記少なくとも１つのＲＩ−ＰＭＩペアのうちの１つに対応し、
前記少なくとも１つのＲＩ−ＰＭＩペアと前記少なくとも１つのＣＱＩとを含むＣＳＩレポートを前記基地局へ送信することと、
を備える方法。
［Ｃ２］
前記選択された許容できるランク値セットは、複数の許容できるランク値を含む、Ｃ１に記載の方法。
［Ｃ３］
前記選択された許容できるランク値セットは、前記ＣＳＩレポートがスケジュールされるサブフレームのうちの１または複数のセットに基づいて決定される、Ｃ１に記載の方法。
［Ｃ４］
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、Ｃ１に記載の方法。
［Ｃ５］
前記フィードバック・コンフィギュレーション情報を受信することは、
おのおののＣＳＩフィードバック処理セットに関連付けられた許容できるランク値セットを指定するビットマップを受信することと、
前記ビットマップにおいて指定された許容できるランク値セットから少なくとも１つのＲＩを決定することにより、前記許容できるランク値セットによって、おのおののＣＳＩフィードバック処理セットを調整することと、
おのおののＣＳＩフィードバック処理セットに関連付けられた少なくとも１つの許容できるＲＩ−ＰＭＩペアを指定するビットマップを受信することと、
のうちの少なくとも１つを備え、
前記ＲＩおよび前記ＰＭＩは、前記ビットマップにおいて指定された少なくとも１つの許容できるＲＩ−ＰＭＩペアについて決定される、Ｃ１に記載の方法。
［Ｃ６］
許容できるランク値セットは、いくつかのＲＩ−ＰＭＩペアを除外する、Ｃ１に記載の方法。
［Ｃ７］
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、Ｃ１に記載の方法。
［Ｃ８］
前記フィードバック・コンフィギュレーション情報は、おのおののＣＳＩフォードバック処理セットのコードブックにおける１または複数のＰＭＩをディセーブする、Ｃ７に記載の方法。
［Ｃ９］
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信することは、
複数のサブ帯域からサブ帯域のセットを決定することと、
前記サブ帯域のセットに対応する第１のＣＳＩレポートを提供することと、
前記複数のサブ帯域に対応する第２のＣＳＩレポートを提供することと
を含む、Ｃ１に記載の方法。
［Ｃ１０］
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、Ｃ１に記載の方法。
［Ｃ１１］
無線通信の方法であって、
少なくとも第１のチャネル状態情報（ＣＳＩ）処理および第２のＣＳＩ処理を定義するフィードバック・コンフィギュレーション・シグナリングを受信することと、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定することと、
前記第１のＣＳＩ処理のために決定されたサブ帯域選択および／またはＲＩに基づいて、前記第２のＣＳＩ処理のためのＣＳＩ情報を決定することと、
前記第１のＣＳＩ処理または前記第２のＣＳＩ処理のうちの少なくとも１つのためのＣＳＩ情報を送信することと、
を備える方法。
［Ｃ１２］
前記第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを備える、Ｃ１１に記載の方法。
［Ｃ１３］
前記第２のＣＳＩ処理のためのＣＳＩ情報はさらに、前記ＰＴＩが前記第１のＣＳＩ処理のために設定されている場合、および、前記第２のＣＳＩ処理のためのＣＳＩ情報が前記第１のＣＳＩ処理のためのＲＩに基づいている場合に、前記第１のＣＳＩ処理に関連付けられたＰＴＩに基づく、Ｃ１２に記載の方法。
［Ｃ１４］
前記第２のＣＳＩ処理に関連付けられたＰＭＩおよびＣＱＩは、前記第１のＣＳＩ処理に関連付けられたサブ帯域選択および／またはＲＩに基づいて決定され、
前記第２のＣＳＩ処理の定期的なレポート・コンフィギュレーションに関連付けられた、ＰＭＩおよびＣＱＩフィードバック・タイムラインは、前記第１のＣＳＩ処理のサブ帯域選択および／またはＲＩに関する相反する調整を回避するように構成される、Ｃ１３に記載の方法。
［Ｃ１５］
前記第２のＣＳＩ処理に関連付けられたＰＭＩおよびＣＱＩは、前記第２のＣＳＩ処理のレポート・サイクルの開始時または開始前に生じた第１のＣＳＩ処理の、最後にレポートされたサブ帯域選択、および／または、最後にレポートされたＲＩに基づいて決定される、Ｃ１３に記載の方法。
［Ｃ１６］
前記第２のＣＳＩ処理に関連付けられたＣＱＩおよびＰＭＩは、前記第２のＣＳＩ処理の、最後にレポートされたサブ帯域選択および／または最後にレポートされたＲＩに基づいて決定され、
前記第２のＣＳＩ処理のＲＩおよび／またはサブ帯域選択は、前記第１のＣＳＩ処理のサブ帯域選択および／または最後にレポートされたＲＩから継承される、Ｃ１３に記載の方法。
［Ｃ１７］
前記第１のＣＳＩ処理および第２のＣＳＩ処理は、物理アップリンク・スケジューリング・チャネル（ＰＵＳＣＨ）モード２−２に基づいて非定期的なフィードバック・レポートを用いるように構成され、
前記第２のＣＳＩ処理は、前記第１のＣＳＩ処理のために決定された好適なサブ帯域のセットと同じであるべき、関連付けられた好適なサブ帯域のセットを選択する、Ｃ１１に記載の方法。
［Ｃ１８］
無線通信のための装置であって、
複数の許容できるランク値セットを、チャネル状態情報（ＣＳＩ）フィードバック処理セットへ関連付ける、フィードバック・コンフィギュレーション情報を受信する手段と、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定する手段と、ここで、前記選択することは、基地局からのシグナリングに基づき、
前記選択された許容できるランク値セットに対応する少なくとも１つのＲＩ−ＰＭＩペアを決定する手段と、
少なくとも１つのチャネル品質インジケータ（ＣＱＩ）を決定する手段と、ここで、おのおののＣＱＩは、前記少なくとも１つのＲＩ−ＰＭＩペアのうちの１つに対応し、
前記少なくとも１つのＲＩ−ＰＭＩペアおよび前記少なくとも１つのＣＱＩを含むＣＳＩレポートを前記基地局へ送信する手段と、
を備える装置。
［Ｃ１９］
前記選択された許容できるランク値セットは、複数の許容できるランク値を含む、Ｃ１８に記載の装置。
［Ｃ２０］
前記選択された許容できるランク値セットは、前記ＣＳＩレポートがスケジュールされるサブフレームのうちの１または複数のセットに基づいて決定される、Ｃ１８に記載の装置。
［Ｃ２１］
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、Ｃ１８に記載の装置。
［Ｃ２２］
前記フィードバック・コンフィギュレーション情報を受信する手段は、
おのおののＣＳＩフィードバック処理セットに関連付けられた許容できるランク値セットを指定するビットマップを受信すること、
前記ビットマップにおいて指定された許容できるランク値セットから少なくとも１つのＲＩを決定することにより、前記許容できるランク値セットによって、おのおののＣＳＩフィードバック処理セットを調整するここ、
または、おのおののＣＳＩフィードバック処理セットに関連付けられた少なくとも１つの許容できるＲＩ−ＰＭＩペアを指定するビットマップを受信すること
のうちの少なくとも１つを実行するように構成され、
前記ＲＩおよび前記ＰＭＩは、前記ビットマップにおいて指定された少なくとも１つの許容できるＲＩ−ＰＭＩペアについて決定される、Ｃ１８に記載の装置。
［Ｃ２３］
許容できるランク値セットは、いくつかのＲＩ−ＰＭＩペアを除外する、Ｃ１８に記載の装置。
［Ｃ２４］
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、Ｃ１８に記載の装置。
［Ｃ２５］
前記フィードバック・コンフィギュレーション情報は、おのおののＣＳＩフォードバック処理セットのコードブックの１または複数のＰＭＩをディセーブルする、Ｃ２４に記載の装置。
［Ｃ２６］
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信する手段は、複数のサブ帯域からサブ帯域のセットを決定し、前記サブ帯域のセットに対応する第１のＣＳＩレポートを提供し、前記複数のサブ帯域に対応する第２のＣＳＩレポートを提供するように構成された、Ｃ１８に記載の装置。
［Ｃ２７］
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、Ｃ１８に記載の装置。
［Ｃ２８］
無線通信のための装置であって、
少なくとも第１のチャネル状態情報（ＣＳＩ）処理および第２のＣＳＩ処理を定義するフィードバック・コンフィギュレーション・シグナリングを受信する手段と、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定する手段と、
前記第１のＣＳＩ処理のために決定されたサブ帯域選択および／またはＲＩに基づいて、前記第２のＣＳＩ処理のためのＣＳＩ情報を決定する手段と、
前記第１のＣＳＩ処理または第２のＣＳＩ処理のうちの少なくとも１つのためのＣＳＩ情報を送信する手段と、
を備える装置。
［Ｃ２９］
前記第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを備える、Ｃ２８に記載の装置。
［Ｃ３０］
前記第２のＣＳＩ処理のためのＣＳＩ情報はさらに、前記ＰＴＩが前記第１のＣＳＩ処理のために設定されている場合、および、前記第２のＣＳＩ処理のためのＣＳＩ情報が前記第１のＣＳＩ処理のためのＲＩに基づいている場合に、前記第１のＣＳＩ処理に関連付けられたＰＴＩに基づく、Ｃ２９に記載の装置。
［Ｃ３１］
前記第２のＣＳＩ処理に関連付けられたＰＭＩおよびＣＱＩは、前記第１のＣＳＩ処理に関連付けられたサブ帯域選択および／またはＲＩに基づいて決定され、
前記第２のＣＳＩ処理の定期的なレポート・コンフィギュレーションに関連付けられた、ＰＭＩおよびＣＱＩフィードバック・タイムラインは、前記第１のＣＳＩ処理のサブ帯域選択および／またはＲＩに関する相反する調整を回避するように構成された、Ｃ３０に記載の装置。
［Ｃ３２］
前記第２のＣＳＩ処理に関連付けられたＰＭＩおよびＣＱＩは、前記第２のＣＳＩ処理のレポート・サイクルの開始時または開始前に生じた第１のＣＳＩ処理の、最後にレポートされたサブ帯域選択、および／または、最後にレポートされたＲＩに基づいて決定される、Ｃ３０に記載の装置。
［Ｃ３３］
前記第２のＣＳＩ処理に関連付けられたＣＱＩおよびＰＭＩは、前記第２のＣＳＩ処理の、最後にレポートされたサブ帯域選択および／または最後にレポートされたＲＩに基づいて決定され、
前記第２のＣＳＩ処理のＲＩおよび／またはサブ帯域選択は、前記第１のＣＳＩ処理のサブ帯域選択および／または最後にレポートされたＲＩから継承される、Ｃ３０に記載の装置。
［Ｃ３４］
前記第１のＣＳＩ処理および第２のＣＳＩ処理は、物理アップリンク・スケジューリング・チャネル（ＰＵＳＣＨ）モード２−２に基づいて非定期的なフィードバック・レポートを用いるように構成され、
前記第２のＣＳＩ処理は、前記第１のＣＳＩ処理のために決定された好適なサブ帯域のセットと同じであるべき、関連付けられた好適なサブ帯域のセットを選択する、Ｃ２８に記載の装置。
［Ｃ３５］
無線通信のための装置であって、
複数の許容できるランク値セットを、チャネル状態情報（ＣＳＩ）フィードバック処理セットへ関連付ける、フィードバック・コンフィギュレーション情報を受信し、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定し、ここで、前記選択することは、基地局からのシグナリングに基づき、
前記選択された許容できるランク値セットに対応する少なくとも１つのＲＩ−ＰＭＩペアを決定し、
前記少なくとも１つのチャネル品質インジケータ（ＣＱＩ）を決定し、ここで、おのおののＣＱＩは、前記少なくとも１つのＲＩ−ＰＭＩペアのうちの１つに対応し、
前記少なくとも１つのＲＩ−ＰＭＩペアと前記少なくとも１つのＣＱＩとを含むＣＳＩレポートを前記基地局へ送信する
ように構成された少なくとも１つの処理システム、を備える装置。
［Ｃ３６］
前記選択された許容できるランク値セットは、複数の許容できるランク値を含む、Ｃ３５に記載の装置。
［Ｃ３７］
前記選択された許容できるランク値セットは、前記ＣＳＩレポートがスケジュールされるサブフレームのうちの１または複数のセットに基づいて決定される、Ｃ３５に記載の装置。
［Ｃ３８］
前記フィードバック・コンフィギュレーション情報は、非定期的なフィードバック・レポートを要求するダウンリンク制御情報（ＤＣＩ）フォーマットにおける追加ビットによって、前記少なくとも１つのＲＩ−ＰＭＩペアが前記ＣＳＩレポートにおいてレポートされる複数の許容できるランク値セットを識別する、Ｃ３５に記載の装置。
［Ｃ３９］
前記フィードバック・コンフィギュレーション情報を受信するように構成された少なくとも１つの処理システムは、
おのおののＣＳＩフィードバック処理セットに関連付けられた許容できるランク値セットを指定するビットマップを受信することと、
前記ビットマップにおいて指定された許容できるランク値セットから少なくとも１つのＲＩを決定することにより、前記許容できるランク値セットによって、おのおののＣＳＩフィードバック処理セットを調整することと、
おのおののＣＳＩフィードバック処理セットに関連付けられた少なくとも１つの許容できるＲＩ−ＰＭＩペアを指定するビットマップを受信することと
のうちの少なくとも１つを実行するように構成され、
前記ＲＩおよび前記ＰＭＩは、前記ビットマップにおいて指定された少なくとも１つの許容できるＲＩ−ＰＭＩペアについて決定される、Ｃ３５に記載の装置。
［Ｃ４０］
許容できるランク値セットは、いくつかのＲＩ−ＰＭＩペアを除外する、Ｃ３５に記載の装置。
［Ｃ４１］
前記ＣＳＩフィードバック処理セットのおのおのに関連付けられた少なくとも１つのＲＩ−ＰＭＩペアのＲＩとＰＭＩとは、チャネル測定リソースにおけるチャネル測定と、干渉測定リソースにおける干渉測定とに基づいて決定される、Ｃ３５に記載の装置。
［Ｃ４２］
前記フィードバック・コンフィギュレーション情報は、おのおののＣＳＩフォードバック処理セットのコードブックにおける１または複数のＰＭＩをディセーブルする、Ｃ４１に記載の装置。
［Ｃ４３］
前記ＰＭＩは、前記少なくとも１つのＣＳＩフィードバック処理のための周波数グラニュラリティを用いて決定され、
前記周波数グラニュラリティは、前記少なくとも１つのＣＳＩフィードバック処理のために選択されたランク値に基づいて決定され、
前記フィードバック・コンフィギュレーション情報は、ＲＲＣベースのコンフィギュレーションによって、前記許容できるランク値セットを識別し、
前記ＣＳＩレポートを送信するように構成された少なくとも１つの処理システムは、複数のサブ帯域からサブ帯域のセットを決定し、前記サブ帯域のセットに対応する第１のＣＳＩレポートを提供し、前記複数のサブ帯域に対応する第２のＣＳＩレポートを提供する
ように構成された、Ｃ３５に記載の装置。
［Ｃ４４］
前記決定された少なくとも１つのＲＩ−ＰＭＩペアのうちのＰＭＩは、前記選択された許容できるランク値セットのうちの、複数の許容できるランク値のための、全体的に最適なＰＭＩに相当する、Ｃ３５に記載の装置。
［Ｃ４５］
無線通信のための装置であって、
少なくとも第１のチャネル状態情報（ＣＳＩ）処理および第２のＣＳＩ処理を定義するフィードバック・コンフィギュレーション・シグナリングを受信する手段と、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定する手段と、
前記第１のＣＳＩ処理のために決定されたサブ帯域選択および／またはＲＩに基づいて、前記第２のＣＳＩ処理のためのＣＳＩ情報を決定する手段と、
前記第１のＣＳＩ処理または第２のＣＳＩ処理のうちの少なくとも１つのためのＣＳＩ情報を送信する手段と、
を備える装置。
［Ｃ４６］
前記第２のＣＳＩ処理のためのＣＳＩ情報は、ＲＩ、プリコーディング行列インジケータ（ＰＭＩ）、チャネル品質インジケータ（ＣＱＩ）、サブ帯域選択、またはプリコーディング・タイプ・インジケータ（ＰＴＩ）のうちの少なくとも１つを備える、Ｃ４５に記載の装置。
［Ｃ４７］
前記第２のＣＳＩ処理のためのＣＳＩ情報はさらに、前記ＰＴＩが前記第１のＣＳＩ処理のために設定されている場合、および、前記第２のＣＳＩ処理のためのＣＳＩ情報が前記第１のＣＳＩ処理のためのＲＩに基づいている場合に、前記第１のＣＳＩ処理に関連付けられたＰＴＩに基づく、Ｃ４６に記載の装置。
［Ｃ４８］
前記第２のＣＳＩ処理に関連付けられたＰＭＩおよびＣＱＩは、前記第１のＣＳＩ処理に関連付けられたサブ帯域選択および／またはＲＩに基づいて決定され、
前記第２のＣＳＩ処理の定期的なレポート・コンフィギュレーションに関連付けられた、ＰＭＩおよびＣＱＩフィードバック・タイムラインは、前記第１のＣＳＩ処理のサブ帯域選択および／またはＲＩに関する相反する調整を回避するように構成された、Ｃ４７に記載の装置。
［Ｃ４９］
前記第２のＣＳＩ処理に関連付けられたＰＭＩおよびＣＱＩは、前記第２のＣＳＩ処理のレポート・サイクルの開始時または開始前に生じた第１のＣＳＩ処理の、最後にレポートされたサブ帯域選択、および／または、最後にレポートされたＲＩに基づいて決定される、Ｃ４７に記載の装置。
［Ｃ５０］
前記第２のＣＳＩ処理に関連付けられたＣＱＩおよびＰＭＩは、前記第２のＣＳＩ処理の、最後にレポートされたサブ帯域選択および／または最後にレポートされたＲＩに基づいて決定され、
前記第２のＣＳＩ処理のＲＩおよび／またはサブ帯域選択は、前記第１のＣＳＩ処理のサブ帯域選択および／または最後にレポートされたＲＩから継承される、Ｃ４７に記載の装置。
［Ｃ５１］
前記第１のＣＳＩ処理および第２のＣＳＩ処理は、物理アップリンク・スケジューリング・チャネル（ＰＵＳＣＨ）モード２−２に基づいて非定期的なフィードバック・レポートを用いるように構成され、
前記第２のＣＳＩ処理は、前記第１のＣＳＩ処理のために決定された好適なサブ帯域のセットと同じであるべき、関連付けられた好適なサブ帯域のセットを選択する、Ｃ４５に記載の装置。
［Ｃ５２］
コンピュータ・プログラム製品であって、
複数の許容できるランク値セットを、チャネル状態情報（ＣＳＩ）フィードバック処理セットへ関連付ける、フィードバック・コンフィギュレーション情報を受信することと、ここで、おのおのの許容できるランク値セットは、少なくとも１つのランク・インジケータ（ＲＩ）とプリコーディング行列インジケータ（ＰＭＩ）とのペア（ＲＩ−ＰＭＩペア）を含み、おのおののＣＳＩフィードバック処理セットは、少なくとも１つのＣＳＩフィードバック処理を含み、おのおののＣＳＩフィードバック処理は、前記複数の許容できるランク値セットからの許容できるランク値セットに基づき、
前記複数の許容できるランク値セットに基づいて、選択される許容できるランク値セットを決定することと、ここで、前記選択することは、基地局からのシグナリングに基づき、
前記選択された許容できるランク値セットに対応する少なくとも１つのＲＩ−ＰＭＩペアを決定することと、
前記少なくとも１つのチャネル品質インジケータ（ＣＱＩ）を決定することと、ここで、おのおののＣＱＩは、前記少なくとも１つのＲＩ−ＰＭＩペアのうちの１つに対応し、
前記少なくとも１つのＲＩ−ＰＭＩペアと前記少なくとも１つのＣＱＩとを含むＣＳＩレポートを前記基地局へ送信することと、
のためのコードを備えるコンピュータ読取可能な媒体、を備えるコンピュータ・プログラム製品。
［Ｃ５３］
コンピュータ・プログラム製品であって、
少なくとも第１のチャネル状態情報（ＣＳＩ）処理および第２のＣＳＩ処理を定義するフィードバック・コンフィギュレーション・シグナリングを受信することと、ここで、前記第１のＣＳＩ処理は、前記第２のＣＳＩ処理のための基準ＣＳＩ処理として指定され、
前記第１のＣＳＩ処理に関連付けられた測定に基づいて、前記第１のＣＳＩ処理のためのサブ帯域選択またはランク・インジケータ（ＲＩ）のうちの少なくとも１つを決定することと、
前記第１のＣＳＩ処理のために決定されたサブ帯域選択および／またはＲＩに基づいて、前記第２のＣＳＩ処理のためのＣＳＩ情報を決定することと、
前記第１のＣＳＩ処理または前記第２のＣＳＩ処理のうちの少なくとも１つのためのＣＳＩ情報を送信することと、
のためのコードを備えるコンピュータ読取可能な媒体、コンピュータ・プログラム製品。